(57)【特許請求の範囲】
【請求項１】
天井材、壁材若しくはこれらの下地材等の内装パネルの表面に取付ける薄型パネルスピーカであって、
取付けベースプレートと取付け枠と表面振動パネルとを少なくとも備えて構成され、
前記内装パネルには取付け開口が形成され、
前記取付けベースプレートは、ほぼ中央部に挿通開口を有し、
この挿通開口の裏面側における周縁部には、係合孔が形成された補助金具が固定され、この補助金具の係合孔に、板ばねで形成された係合片の基部が上下揺動自在に支持され、
この取付けベースプレートは、挿通開口を前記取付け開口に一致させるようにして、その裏面を内装パネルの表面に宛がい、表面側から、補助金具のねじ挿通孔に係止用ねじを挿通させ、係合片の雌ねじ孔にねじ込むことで、係合片を下揺動させて先端部で前記取付け開口の周縁部を掴持することで内装パネルに取付けられ、
前記取付け枠は、内側を開口領域としたロ型形状を有し、前記取付けベースプレートの周縁部に連結され、
前記表面振動パネルは、その外周部が取付け枠に支持固定され、この表面振動パネルの中央部には、裏面側に突出し取付けベースプレートの挿通開口内に入り込むよう加振器が設けられていることを特徴とする薄型パネルスピーカ。
【請求項２】
前記内装パネルの表面と取付けベースプレートの裏面との間に振動伝達防止層が介設されていることを特徴とする請求項１に記載の薄型パネルスピーカ。
【請求項３】
前記取付けベースプレートは、位置決め後に、固定用ねじで内装パネルに固定されていることを特徴とする請求項１または２に記載の薄型パネルスピーカ。
【発明の詳細な説明】
【技術分野】
【０００１】
本発明は、薄型パネルスピーカに関する。
【背景技術】
【０００２】
従来、天井板に形成したスピーカ装着孔よりも大きいスピーカ保持板のブリッジの両端側の対向位置に挿孔をそれぞれ設け、各挿孔に押さえ片を中腹部で掛け止めて挿着し、この押さえ片を立てた状態で天井板のスピーカ装着孔に嵌めた後、押さえ片をほぼ水平に倒すことで、押さえ片の上半分の押さえ部で天井板の裏面を押さえ込むとともに、押さえ片の下半分の止部をブリッジの下面にねじ固定することで、スピーカ保持板を天井板に取付けるようにした天井スピーカ取付け装置がある（特許文献１参照）。
【特許文献１】実開昭５７−８２７７４号公報
【発明の開示】
【発明が解決しようとする課題】
【０００３】
しかしながら、特許文献１では、スピーカ保持板にスピーカを直付けしているから、天井板にスピーカよりも大きいスピーカ装着孔を形成する必要があるので、約１ｍ四方にもなる大型の薄型パネルスピーカでは、天井板に、約１ｍ四方以上のスピーカ装着孔を明けなければならないので、天井板の強度が著しく低下するという問題があった。
【０００４】
本発明は、前記問題を解消するためになされたもので、天井材の強度低下が殆ど無い薄型パネルスピーカを提供することを目的とするものである。
【課題を解決するための手段】
【０００５】
前記課題を解決するために、本発明は、天井材、壁材若しくはこれらの下地材等の内装パネルの表面に取付ける薄型パネルスピーカであって、取付けベースプレートと取付け枠と表面振動パネルとを少なくとも備えて構成され、前記内装パネルには取付け開口が形成され、前記取付けベースプレートは、ほぼ中央部に挿通開口を有し、この挿通開口の裏面側における周縁部には、係合孔が形成された補助金具が固定され、この補助金具の係合孔に、板ばねで形成された係合片の基部が上下揺動自在に支持され、この取付けベースプレートは、挿通開口を前記取付け開口に一致させるようにして、その裏面を内装パネルの表面に宛がい、表面側から、補助金具のねじ挿通孔に係止用ねじを挿通させ、係合片の雌ねじ孔にねじ込むことで、係合片を下揺動させて先端部で前記取付け開口の周縁部を掴持することで内装パネルに取付けられ、前記取付け枠は、内側を開口領域としたロ型形状を有し、前記取付けベースプレートの周縁部に連結され、前記表面振動パネルは、その外周部が取付け枠に支持固定され、この表面振動パネルの中央部には、裏面側に突出し取付けベースプレートの挿通開口内に入り込むよう加振器が設けられていることを特徴とする薄型パネルスピーカを提供するものである。
【０００６】
請求項２のように、前記内装パネルの表面と取付けベースプレートの裏面との間に振動伝達防止層が介設されていることが好ましい。
【０００７】
請求項３のように、前記取付けベースプレートは、位置決め後に、固定用ねじで内装パネルに固定されていることが好ましい。
【発明の効果】
【０００８】
本発明によれば、内装パネルには、薄型パネルスピーカの裏面側に突出する加振器が入り込み可能な取付け開口を形成するだけで良く、約１ｍ四方にもなる大型の薄型パネルスピーカであっても加振器自体の外径は約１０ｃｍ程度であるから、取付け開口が小さくて良いので、天井材等の強度低下が殆ど無くなる。
【０００９】
また、取付けベースプレートが係合片で内装パネルに取付けられるが、掴持されているだけであるから、取付けベースプレートの取付け位置を容易に調整することができるとともに、取付けベースプレートが係合片で内装パネルに掴持されることで、内装パネルの材質（例えば石膏ボードのようにねじが効きにくい材質）に係わらず、取付けベースプレートを確実に固定することができる。
【００１０】
請求項２によれば、内装パネルと取付けベースプレートとの間に振動伝達防止層を介設しているから、薄型パネルスピーカの音響振動が内装パネルに伝達されにくくなるので、音響特性が悪化しなくなり、ビビリ音等の不要な振動音が発生しにくくなる。
【００１１】
請求項３によれば、取付けベースプレートを位置決め後に固定用ねじで内装パネルに固定することで、取付けベースプレートの固定強度がより向上するようになる。
【発明を実施するための最良の形態】
【００１２】
以下、本発明を実施するための最良の形態について、図面を参照しながら詳細に説明する。
【００１３】
図１（ａ）（ｂ）に示すように、建物内の天井下地材（内装パネル）１には、薄型パネルスピーカ２の裏面側に突出する加振器（突出部）２ａが入り込み可能な四角形状の取付け開口１ａが形成されている。この取付け開口１ａは、後述する係合片６が挿通可能な内幅に設定されている。
【００１４】
天井下地材１の取付け開口１ａに面して、天井下地材１の表面に裏面を宛がう四角形状の金属製取付けベースプレート４が設けられている。この取付けベースプレート４の中央部には、薄型パネルスピーカ２の加振器２ａを挿通させる挿通開口４ａが形成されるとともに、取付けベースプレート４の外周縁部には、フランジ部４ｂが形成され、このフランジ部４ｂには、適当な間隔で複数個の雌ねじ孔（不図示）が明けられている。
【００１５】
取付けベースプレート４の裏面の挿通開口４ａの四辺縁部には、側面視で略逆Ｌ字状の補助金具５がそれぞれ溶接で一体的に固定され、この補助金具５には、図３（ｄ）に詳細に示すように、左右一対の略Ｔ字状の係合孔５ａが形成されている。
【００１６】
側面視で略逆Ｕ字状の係合片６が設けられ、この係合片６の一端部は、外向きにやや湾曲させた先端部６ａに形成されるとともに、他端部は、さらに略逆Ｌ字状に屈曲させて、この他端部の下縁に、補助金具５の係合孔５ａに対応させて、左右一対の略逆Ｔ字状の基部６ｂが形成されている。この係合片６は、板ばねで形成されている。
【００１７】
そして、係合片６の基部６ｂの広幅部を補助金具５の係合孔５ａの広幅部に上方から差し込み、そのままで、係合片６の基部６ｂの狭幅部を補助金具５の係合孔５ａの狭幅部の方向にスライド移動させることで、補助金具５の係合孔５ａに係合片６の基部６ｂが係合されて矢印ａ方向に揺動自在に支持されるようになる。
【００１８】
この係合片６は、取付けベースプレート４の挿通開口４ａの四辺縁部にそれぞれ１個、計４個が取付けられることになり、天井下地材１に取付けベースプレート４を宛がった時には、取付けベースプレート４の裏面で天井下地材１の取付け開口１ａ内に位置するようになる〔図２（ａ）（ｂ）参照〕。
【００１９】
図３（ａ）〜（ｃ）に詳細に示すように、係合片６の先端部６ａと基部６ｂとの間、具体的には、係合片６の他端側の略逆Ｌ字状に屈曲させた部分の水平部６ｃに雌ねじ孔６ｄが形成されている。
【００２０】
また、図１（ｂ）のように、取付けベースプレート４の裏面には、補助金具５を避けて振動伝達防止層９が接着されている。
【００２１】
そして、図２（ａ）のように、係合片６を上向きに起立させた状態で、図２（ｂ）のように、振動伝達防止層９を介して取付けベースプレート４の裏面を天井下地材１の表面に宛がい、係止用ねじ１１を表面側から取付けベースプレート４のねじ入れ込み孔４ｄ（図３参照）にねじ頭ごと入れ込みながら、補助金具５のねじ挿通孔５ｂに挿通させ、ドライバー等の工具１０によって、係合片６の水平部６ｃの雌ねじ孔６ｄに浅くねじ込む。なお、係止用ねじ１１は、取付けベースプレート４を天井下地材１の表面に宛がう前に、予め雌ねじ孔６ｄに浅くねじ込んでおいても良い。
【００２２】
工具１０により係止用ねじ１１をさらにねじ込むと、図２（ｃ）のように、係合片６が基部６ｂを支点にして外方に揺動することで、先端部６ａが天井下地材１の裏面に当接するようになる。具体的には、図３（ａ）のように係止用ねじ１１をねじ込むのに伴って、図３（ｂ）のように、係合片６が外方にさらに揺動して先端部６ａが天井下地材１の裏面に当接し、図３（ｃ）のように、係止用ねじ１１をさらにねじ込むのに伴って、係合片６が外方にさらに揺動して先端部６ａが天井下地材１の裏面に強く当接するようになる。
【００２３】
これにより、取付けベースプレート４が振動伝達防止層９を介して、天井下地材１に係合片６で挟み込んで固定（掴持）されるようなる〔図２（ｃ）の状態〕。
【００２４】
このとき、取付けベースプレート４の取付け位置がずれている場合には、係止用ねじ１１を緩めて、取付けベースプレート４の取付け位置を調整することができる。なお、振動伝達防止層９の表面（上面）に接着剤を塗布して、振動伝達防止層９を天井下地材１に接着することも可能である。
【００２５】
そして、取付けベースプレート４を位置決めした後、図２（ｄ）のように、取付けベースプレート４を適当個の固定用ねじ７で天井下地材１にねじ固定する。
【００２６】
一方、図４（ａ）（ｂ）に示すように、薄型パネルスピーカ２の外周囲（四周囲）には、側面視がコ字状の取付け枠１３が嵌め込まれて接着剤で接着されることで、薄型パネルスピーカ２が取付け枠１３で保持されている。
【００２７】
薄型パネルスピーカ２は、図４（ｃ）にその断面を示すように、ベース板２ｂと表面振動パネル２ｃとがスペーサ２ｄを介して固定され、表面振動パネル２ｃの中央部に加振器２ａが固定されて、ベース板２ｂには、加振器２ａが接触しないようにカバーするカバー部２ｅが形成されている。
【００２８】
取付け枠１３には、取付けベースプレート４のフランジ部４ｂに対面するフランジ部１３ａが形成され、このフランジ部１３ａには、取付けベースプレート４のフランジ部４ｂの雌ねじ孔（不図示）に一致する複数個のねじ用孔１３ｂが明けられている。
【００２９】
そして、図１（ｂ）のように、取付け枠１３のフランジ部１３ａのねじ用孔１３ｂに取付け用ねじ１４を挿入して、取付けベースプレート４のフランジ部４ｂの雌ねじ孔（不図示）にねじ込むことにより、取付け枠１３が取付け用ねじ１４で取付けベースプレート４に取付けられるようになる。
【００３０】
このようにして、天井下地材１に固定された取付けベースプレート４の表面に、薄型パネルスピーカ２が取付けられるようになる。なお、薄型パネルスピーカ２の加振器２ａには、天井下地材１の内部でスピーカコード１５が予め結線されている。そして、天井下地材１の下方は、薄型パネルスピーカ２のみを露出させた状態で、天井化粧材（不図示）で覆われるようになる。
【００３１】
前記実施形態であれば、天井下地材１には、薄型パネルスピーカ２の裏面側に突出する加振器２ａが入り込み可能な取付け開口１ａを形成するだけで良く、約１ｍ四方にもなる大型の薄型パネルスピーカ２であっても加振器２ａ自体の外径は約１０ｃｍ程度であるから、取付け開口１ａが小さくて良いので、天井下地材１の強度低下が殆ど無くなる。
【００３２】
また、取付けベースプレート４の補助金具５の係合孔５ａに係合片６の基部６ｂを揺動自在に支持するとともに、係合片６の雌ねじ孔６ｄに、取付けベースプレート４の補助金具５のねじ挿通孔５ｂに表面側から挿通させた係止用ねじ１１をねじ込むことで、係合片６が基部６ｂを支点にして揺動されて先端部６ａが天井下地材１の裏面に当接するので、取付けベースプレート４が天井下地材１に挟み込んで固定されるようなるから、天井を見上げた時に、取付けベースプレート４の補助金具５のねじ挿通孔５ｂが見えるだけであるので、見映えが良好になる。しかも、固定された取付けベースプレート４の表面に、薄型パネルスピーカ２を後付で取付ければ、取付けベースプレート４の補助金具５のねじ挿通孔５ｂも見えなくなるので、さらに見映えが良好になる。
【００３３】
さらに、係合片６が基部６ｂを支点にして揺動されて先端部６ａが天井下地材１の裏面に当接することで、取付けベースプレート４が天井下地材１に挟み込んで固定されるが、係止用ねじ１１を緩めることで、取付けベースプレート４の取付け位置を容易に調整することができる。
【００３４】
また、取付けベースプレート４が天井下地材１に挟み込んで固定されることで、天井下地材１の材質（例えば石膏ボードのようにねじが効きにくい材質）に係わらず、取付けベースプレート４を確実に固定することができる。
【００３５】
さらに、取付けベースプレート４を位置決め後に固定用ねじ７で天井下地材１に固定することで、取付けベースプレート４の固定強度がより向上するようになる。
【００３６】
さらに、薄型パネルスピーカ２の外周囲を保持する取付け枠１３を取付け用ねじ１４で取付けベースプレート４に取付けることで、薄型パネルスピーカ２の取り付けや取り外し、または交換等は容易に行えるようになる。また、薄型パネルスピーカ２で表面振動パネル２ｃの振動を妨害することがない。
【００３７】
さらに、薄型パネルスピーカ２の加振器２ａを天井下地材１の取付け開口１ａ内に入り込ませているから、薄型パネルスピーカ２の天井下地材１からの突出寸法が小さくなるので、見映えが向上するようになる。また、天井下地材１と取付けベースプレート４との間に振動伝達防止層９を介設しているから、薄型パネルスピーカ２の音響振動が天井下地材１に伝達されにくくなるので、音響特性が悪化しなくなり、ビビリ音等の不要な振動音が発生しにくくなる。
【００３８】
前記実施形態は、内装パネルとして、天井下地材１に薄型パネルスピーカ２を取付けたが、天井材自体、壁材若しくはこれらの下地材等の内装パネルに取付けることもできる。
【図面の簡単な説明】
【００３９】
【図１】本発明の実施形態に係る薄型パネルスピーカであって、（ａ）は分解斜視図、（ｂ）は組み立て断面図である。
【図２】（ａ）〜（ｄ）は、天井下地材に取付けベースプレートを固定するときの取付け要領の断面図である。
【図３】（ａ）〜（ｃ）は、取付けベースプレートを天井下地材に挟み込んで固定するときの係合片の揺動状態を示す断面図、（ｄ）は、係合片と補助金具の関係を示す斜視図である。
【図４】薄型パネルスピーカであり、（ａ）は取付け枠を取付ける前の分解斜視図、（ｂ）は取付け枠を取付けた後の斜視図、（ｃ）は取付け枠を取付けた断面図である。
【符号の説明】
【００４０】
１    天井下地材（内装パネル）
１ａ  取付け開口
２    薄型パネルスピーカ
２ａ  加振器
２ｃ  表面振動パネル
４    取付けベースプレート
５    補助金具
５ａ  係合孔
５ｂ  ねじ挿通孔
６    係合片
６ａ  先端部
６ｂ  基部
６ｄ  雌ねじ孔
７    固定用ねじ
９    振動伝達防止層
１１  係止用ねじ
１３  取付け枠
１４  取付け用ねじ
【図１】
0004982314.tif 000002
【図２】
0004982314.tif 000003
【図３】
0004982314.tif 000004
【図４】
0004982314.tif 000005